(57)【要約】【課題】この発明は、性能を維持しながら、ユニット間配管の配管径を小さくできる空気調和装置を提供する。【解決手段】中継部は、室内ユニットの第１の配管接続部を第１および第２の接続端部の一方に接続する第２の切換部、第１の接続端部と第２の切換部とを接続する第１のユニット間配管、第２の接続端部と第２の切換部とを接続する第２のユニット間配管、第３の接続端部と第２のユニット間配管とを接続する第３のユニット間配管、第２のユニット間配管と第３のユニット間配管との接続部に配設され、第２の切換部を第２および第３の接続端部の一方に接続する第３の切換部、第２のユニット間配管と室内ユニットの第２の配管接続部とを接続する第１のバイパス配管、および第１のバイパス配管を流れる冷媒流量を制御する第２の流量制御部を備える。【選択図】図１
2008170130.tif 000002
【特許請求の範囲】
【請求項１】
第１および第２の接続端部の間を流体連通するように配設された室外熱交換器、冷媒を圧縮して吐出する圧縮機、上記室外熱交換器に流れる冷媒の方向を切り換える第１の切換部、および上記圧縮機の吐出側に接続された第３の接続端部を有する室外ユニットと、
それぞれ第１および第２の配管接続部の間を流体連通するように配設された室内熱交換器および当該室内熱交換器に流れる冷媒流量を制御するための第１の流量制御部を有する複数の室内ユニットと、
上記複数の室内ユニットのそれぞれの上記第１の配管接続部を上記第１および第２の接続端部のいずれか一方に選択的に接続するための複数の第２の切換部、一端が上記第１の接続端部に接続され、他端が分岐して上記複数の第２の切換部のそれぞれに接続された第１のユニット間配管、一端が上記第２の接続端部に接続され、他端が分岐して上記複数の第２の切換部のそれぞれに接続された第２のユニット間配管、一端が上記第３の接続端部に接続され、他端が上記第２のユニット間配管に接続された第３のユニット間配管、上記第２のユニット間配管と上記第３のユニット間配管との接続部に配設され、上記第２の切換部を上記第２および第３の接続端部のいずれか一方に選択的に接続するための第３の切換部、一端が上記第２のユニット間配管の上記第３の切換部の第２の接続端部側に接続され、他端が分岐して上記複数の室内ユニットのそれぞれの上記第２の配管接続部に接続された第１のバイパス配管、および上記第１のバイパス配管を流れる冷媒流量を制御する第２の流量制御部を有する中継部と、
を備えたことを特徴とする空気調和装置。
【請求項２】
二酸化炭素又は二酸化炭素を主成分とする冷媒を用いることを特徴とする請求項１記載の空気調和装置。
【請求項３】
上記圧縮機は、冷媒吸込口および冷媒吐出口を有し、
上記第１の切換部は、運転モードに応じて、上記冷媒吐出口を上記室外熱交換器の一端に接続し、かつ上記冷媒吸込口を上記第１の接続端部に接続する第１のフロー状態と、上記冷媒吐出口を上記第１の接続端部に接続し、かつ上記冷媒吸込口を上記室外熱交換器の上記一端に接続する２のフロー状態との間を切り換えるものであり、
上記第１の切換部が上記第１のフロー状態にあるときは、上記室外熱交換器の他端からの冷媒を上記第２の接続端部へ案内し、かつ上記第１の接続端部からの冷媒を上記圧縮機の上記冷媒吸込口へ案内し、上記第１の切換部が上記第２のフロー状態にあるときは、上記圧縮機の上記冷媒吐出口からの冷媒を上記第２の接続端部へ案内し、かつ上記第１の接続端部からの冷媒を上記室外熱交換器の上記他端へ案内する流路切換部、一端が上記第１のバイパス配管に接続され、他端が上記第１のユニット間配管に接続された第２のバイパス配管、およびこの第２のバイパス配管を流れる冷媒の流量を制御する第３の流量制御部を備えたことを特徴とする請求項１記載の空気調和装置。
【請求項４】
上記流路切換部は、上記第１の接続端部と上記圧縮機との間の第１の流路に介在する第１の逆止弁と、上記第２の接続端部と上記室外熱交換器との間の第２の流路に介在する第２の逆止弁と、上記第１の接続端部と上記室外熱交換器との間の第３の流路に介在する第３の逆止弁と、上記第２の接続端部と上記圧縮機との間の第４の流路に介在する第４の逆止弁と、を有することを特徴とする請求項３記載の空気調和装置。
【請求項５】
上記第２の切換部のそれぞれは、上記第１のユニット間配管の分岐された他端と対応する室内ユニットの上記第１の配管接続部とに接続された第１の二方切換弁と、上記第２のユニット間配管の分岐された他端と対応する室内ユニットの上記第１の配管接続部とに接続された第２の二方切換弁とからなることを特徴とする請求項１記載の空気調和装置。
【請求項６】
上記第２の流量制御部または上記第３の流量制御部は、開度がそれぞれ第２の流量制御部または第３の流量制御部の出入口における冷媒の状態または出口における冷媒の状態に応じて制御されることを特徴とする請求項１又は請求項３記載の空気調和装置。
【請求項７】
上記第１の流量制御部は、開度が対応する上記室内ユニットの上記室内熱交換器の出口における冷媒の状態に応じて制御されることを特徴とする請求項１記載の空気調和装置。
【発明の詳細な説明】
【技術分野】
【０００１】
この発明は、一般に冷凍サイクルを利用した空気調和装置に関する。本発明は特に、１台の室外ユニットと複数台の室内ユニットを備え、複数の室全てを同時に冷房または暖房するモードと、ある室を冷房すると同時に別の室を暖房するモードとを有する多室形空気調和装置に関する。
【背景技術】
【０００２】
従来の多室形空気調和装置は、圧縮機および室外熱交換器を有する室外ユニットと、室内熱交換器および流量制御弁をそれぞれ有する複数台の室内ユニットとを備え、室外ユニットと複数台の室内ユニットとがユニット間配管により接続されている。室内熱交換器の一端が第１の切換部によって圧縮機の冷媒吐出口と冷媒吸込口とに択一的に接続されている。ユニット間配管は、圧縮機の冷媒吐出口側の配管に接続された第３のユニット間配管と、圧縮機の冷媒吸込口側の配管に接続された第１のユニット間配管と、室外熱交換器の他端に接続された第２のユニット間配管とを有している。室内ユニットは、室内熱交換器の一端が第２の切換部によって第３のユニット間配管と第１のユニット間配管とに択一的に接続され、他端が第２のユニット間配管に接続されて構成されている（例えば、特許文献１参照）。
【０００３】
この従来の他室形空気調和装置は、室内ユニットが配置された室の全てを冷房または暖房するモード（冷房運転モードおよび暖房運転モード）、および、ある室を冷房すると同時に別の室を暖房する２つのモード（冷房運転容量が暖房運転容量より大きい冷房主体運転モードおよび暖房運転容量が冷房運転容量より大きい暖房主体運転モード）を有する。
【０００４】
冷房運転モードでは、圧縮機から吐出された高温高圧のガス状態の冷媒の全てが室外熱交換器で高密度の冷媒に変化し、第２のユニット間配管を通って室内ユニットに供給される。そして、室内ユニットに供給された冷媒は、室内熱交換器で低温低圧のガス状態の冷媒に変化し、室内ユニットから第１のユニット間配管を通って室外熱交換器に戻る。
暖房運転モードでは、圧縮機から吐出された高温高圧のガス状態の冷媒の全てが第３のユニット間配管を通って室内ユニットに供給される。そして、室内ユニットに供給された冷媒は、室内ユニットで低温低圧のガス状態の冷媒に変化し、室内ユニットから第２のユニット間配管を通って室外熱交換器に戻る。
【０００５】
冷房主体運転モードでは、圧縮機から吐出した冷媒の多くが室外熱交換器で高密度の冷媒に変化し、第２のユニット間配管を通って冷房を行う室内ユニットに供給される。残りの冷媒が高温高圧のガス状態で第３のユニット間配管を通って暖房を行う室内ユニットに供給され、室内熱交換器で温度低下した後、第２のユニット間配管を流れる冷媒と合流して、冷房を行う室内ユニットへ供給される。冷房を行う室内ユニットに供給された冷媒は、室内熱交換器で低温低圧のガス状態の冷媒に変化し、第１のユニット間配管を通って室外ユニットに戻る。
【０００６】
暖房主体運転モードでは、圧縮機から吐出した冷媒の多くが高温高圧のガス状態で第３のユニット間配管を通って暖房を行う室内ユニットに供給され、室外熱交換器で温度低下する。残りの冷媒が、室外熱交換器で高密度の冷媒に変化し、第２のユニット間配管を通って冷房を行う室内ユニットに供給される。そして、室内熱交換器で温度低下した冷媒が、第２のユニット間配管を通り、室外熱交換器で高密度の冷媒に変化した冷媒と合流して、冷房を行う室内ユニットへ供給される。冷房を行う室内ユニットに供給された冷媒は、室内熱交換器で低温低圧のガス状態の冷媒に変化し、第１のユニット間配管を通って室外ユニットに戻る。
【０００７】
【特許文献１】特開２００４−２２６０１８号公報
【発明の開示】
【発明が解決しようとする課題】
【０００８】
従来の多室形空気調和装置では、暖房運転モードで、圧縮機から吐出された高温高圧のガス状態の冷媒の全てが第３のユニット間配管を流通するので、暖房の最大能力に対応できるように第３のユニット間配管の配管径を大きくする必要があった。
また、第３のユニット間配管の配管径が大きいので、メンテナンスや配管設置工事が大掛かりなものとなるばかりでなく、通常の運転に必要な弁やストレーナなどの配管部品も大型となってしまう。
さらに、室外ユニットと室内ユニットとの設置場所が離れていると、上記の課題が一層顕著となる。
【０００９】
この発明は、上記課題を解決するためになされたもので、複数の室全てを同時に冷房または暖房するモードと、ある室を冷房すると同時に別の室を暖房するモードとを有し、さらに従来装置と同様な性能を維持しながら、ユニット間配管の配管径を小さくできる空気調和装置を得ることを目的とする。
【課題を解決するための手段】
【００１０】
この発明による空気調和装置は、第１および第２の接続端部の間を流体連通するように配設された室外熱交換器、冷媒を圧縮して吐出する圧縮機、上記室外熱交換器に流れる冷媒の方向を切り換える第１の切換部、および上記圧縮機の吐出側に接続された第３の接続端部を有する室外ユニットと、それぞれ第１および第２の配管接続部の間を流体連通するように配設された室内熱交換器および当該室内熱交換器に流れる冷媒流量を制御するための第１の流量制御部を有する複数の室内ユニットと、上記複数の室内ユニットのそれぞれの上記第１の配管接続部を上記第１および第２の接続端部のいずれか一方に選択的に接続するための複数の第２の切換部、一端が上記第１の接続端部に接続され、他端が分岐して上記複数の第２の切換部のそれぞれに接続された第１のユニット間配管、一端が上記第２の接続端部に接続され、他端が分岐して上記複数の第２の切換部のそれぞれに接続された第２のユニット間配管、一端が上記第３の接続端部に接続され、他端が上記第２のユニット間配管に接続された第３のユニット間配管、上記第２のユニット間配管と上記第３のユニット間配管との接続部に配設され、上記第２の切換部を上記第２および第３の接続端部のいずれか一方に選択的に接続するための第３の切換部、一端が上記第２のユニット間配管の上記第３の切換部の第２の接続端部側に接続され、他端が分岐して上記複数の室内ユニットのそれぞれの上記第２の配管接続部に接続された第１のバイパス配管、および上記第１のバイパス配管を流れる冷媒流量を制御する第２の流量制御部を有する中継部と、を備えている。
【発明の効果】
【００１１】
本発明によれば、第３のユニット間配管には、冷房主体運転の際の暖房に必要な少量の高温高圧の冷媒だけが流れるので、第３のユニット間配管に小径の配管を用いることができると共に、配管部品を小型化できる。
【発明を実施するための最良の形態】
【００１２】
以下、この発明の実施の形態を図について説明する。
実施の形態１．
図１はこの発明の実施の形態１に係る空気調和装置を示す冷媒回路図である。
図１において、空気調和装置２は、主成分が二酸化炭素の冷媒を充填し、室外ユニット４、複数台の室内ユニット６、および室外ユニット４と室内ユニット６とを接続する中継部８を備える。この実施の形態１では、室内ユニット６の台数は、３台（室内ユニット６Ｐ、６Ｑ、６Ｒ）であるが、台数は２以上であれば本発明を限定しない。この空気調和装置２は、室内ユニット６Ｐ〜６Ｒが配置された室の全てを冷房する冷房運転モード、室の全てを暖房する暖房運転モード、および、ある室を冷房すると同時に別の室を暖房する２つのモード（冷房主体運転モードおよび暖房主体運転モード）を有する。
【００１３】
室外ユニット４は、冷媒を圧縮するための圧縮機１０、室外熱交換器としての熱交換器１２、および第１の切換部１６を備え、これらは第１および第２の接続端部２０ａ、２０ｂの間を流体連通するように配設されている。圧縮機１０の冷媒吐出口１０ａと冷媒吸込口１０ｂはそれぞれ、配管１４ａ、１４ｂを介して第１の切換部１６に接続されている。熱交換器１２の一端１２ａは、配管１４ｃを介して第１の切換部１６に接続されている。第１の切換部１６にはまた、配管１４ｄが接続されている。この配管１４ｄは、中継部８の第１のユニット間配管１８ａの一端が接続される室外ユニット４の第１の接続端部２０ａまで延在している。熱交換器１２の他端１２ｂは、配管１４ｅに接続されている。この配管１４ｅは、中継部８の第２のユニット間配管１８ｂの一端が接続される室外ユニット４の第２の接続端部２０ｂまで延在している。また、圧縮機１０の冷媒吐出口１０ａは配管１４ａ，１４ｆを介して、中継部８の第３のユニット間配管１８ｃの一端が接続される室外ユニット４の第３の接続端部２０ｃに接続されている。これらの第１乃至第３のユニット間配管１８ａ，１８ｂ，１８ｃは、室外ユニット４と室内ユニット６Ｐ〜６Ｒを接続するための配管である。
【００１４】
第１の切換部１６は、運転モードに応じて、第１および第２のフロー状態の間で、熱交換器１２に流れる冷媒の方向を切り換えられるように構成されている。第１のフロー状態では、第１の接続端部２０ａから配管１４ｄ、１４ｂを介して圧縮機１０の冷媒吸込口１０ｂに接続し、圧縮機１０の冷媒吐出口１０ａを配管１４ａ、１４ｃを介して熱交換器１２の一端１２ａに接続する。このとき冷媒は、熱交換器１２の一端１２ａから他端１２ｂへと流れる。一方、第２のフロー状態では、図３に示すように、熱交換器１２の一端１２ａを配管１４ｃ、１４ｂを介して圧縮機１０の冷媒吸込口１０ｂに接続し、圧縮機１０の冷媒吐出口１０ａを配管１４ａ、１４ｄを介して第１の接続端部２０ａに接続する。このとき冷媒は、熱交換器１２の他端１２ｂから一端１２ａへと流れる。
【００１５】
中継部８は、３つの連結口２４ａ、２４ｂ、２４ｃを有する第２の切換部としての三方切換弁２２を室内ユニット６と同数だけ（本実施の形態１では、２２Ｐ、２２Ｑ、２２Ｒの３つ）備える。第１のユニット間配管１８ａは、一端を第１の接続端部２０ａと接続し、他端を分岐して三方切換弁２２Ｐ〜２２Ｒの各連結口２４ａに接続されている。第２のユニット間配管１８ｂは、一端を第２の接続端部２０ｂと接続し、他端が分岐して三方切換弁２２Ｐ〜２２Ｒの各連結口２４ｂに接続されている。同様に、連結口２４ｃは、配管を介して対応する室内ユニット６の第１の配管接続部２６ａに接続されている。
【００１６】
中継部８はまた、第２のユニット間配管１８ｂの途中に一端が接続されるとともに、他端側において分岐して各室内ユニット６の第２の配管接続部２６ｂに接続された第１のバイパス配管３４を備える。第１のバイパス配管３４には、第１のバイパス配管３４を流れる冷媒の流量を制御するための第２の流量制御部としての流量制御弁３６とその流量制御弁３６の前後の圧力を計測する第１の圧力測定部７１および第２の圧力測定部７２が設けられている。
【００１７】
中継部８はまた、３つの連結口８４ａ，８４ｂ，８４ｃを有し、第２の切換部である三方切換弁２２Ｐ〜２２Ｒを第２の接続端部２０ｂおよび第３の接続端部２０ｃのいずれか一方に選択的に接続するための第３の切換部としての三方切換弁８１が設けられている。
【００１８】
各室内ユニット６は、室内熱交換器としての熱交換器２８と、第１の流量制御部としての流量制御弁３２（３２Ｐ、３２Ｑ、３２Ｒ）とを備え、これらは第１および第２の配管接続部２６ａ，２６ｂの間を流体連通するように配設されている。とりわけ、熱交換器２８の一端２８ａは、配管を介して第１の配管接続部２６ａに接続され、その他端２８ｂは、配管３０を介して第２の配管接続部２６ｂと接続され、第２の配管接続部２６ｂは中継部８の第１のバイパス配管３４と接続される。各室内ユニット６Ｐ，６Ｑ，６Ｒの配管３０の途中には、配管３０を流れる冷媒の流量を制御するための流量制御弁３２（３２Ｐ，３２Ｑ，３２Ｒ）が設けてある。
【００１９】
各室内ユニット６はまた、熱交換器２８の一端２８ａに接続される配管に冷媒の過熱度を計測する過熱度測定部７３（７３Ｐ，７３Ｑ，７３Ｒ）が設けられている。
各室内ユニット６はまた、熱交換器２８の一端２８ｂに接続される配管３０に冷媒の温度を計測する温度測定部９０（９０Ｐ，９０Ｑ，９０Ｒ）が設けられている。
【００２０】
つぎに、このように構成された空気調和装置２の動作を運転モード毎に図２乃至図９を参照しつつ説明する。図２はこの発明の実施の形態１に係る空気調和装置の冷房運転モードにおける冷媒循環状態を示す冷媒回路図、図３はこの発明の実施の形態１に係る空気調和装置の暖房運転モードにおける冷媒循環状態を示す冷媒回路図、図４はこの発明の実施の形態１に係る空気調和装置の冷房主体運転モードにおける冷媒循環状態を示す冷媒回路図、図５はこの発明の実施の形態１に係る空気調和装置の暖房主体運転モードにおける冷媒循環状態を示す冷媒回路図である。図６はこの発明の実施の形態１に係る空気調和装置の冷房運転モードにおける冷媒循環の変遷を示すｐ−ｈ線図（冷媒の圧力とエンタルピとの関係を示す線図）、図７はこの発明の実施の形態１に係る空気調和装置の暖房運転モードにおける冷媒循環の変遷を示すｐ−ｈ線図、図８はこの発明の実施の形態１に係る空気調和装置の冷房主体運転モードにおける冷媒循環の変遷を示すｐ−ｈ線図、図９はこの発明の実施の形態１に係る空気調和装置の暖房主体運転モードにおける冷媒循環の変遷を示すｐ−ｈ線図である。なお、図２乃至図５中、太線は運転時に冷媒の移動が生じている配管を示し、括弧内の数字［ｉ］（ｉ＝１，２・・・）は、図６乃至図９のｐ−ｈ線図上におけるｉ点（冷媒の各状態）に対応する配管部分を示す。
【００２１】
［冷房運転モード］（図２および図６）
全ての室内ユニット６Ｐ〜６Ｒが冷房運転を行う場合、第１の切換部１６を第１のフロー状態（圧縮機１０の冷媒吐出口１０ａを熱交換器１２の一端１２ａに接続し、かつ冷媒吸込口１０ｂを第１の接続端部２０ａに接続する状態）に切り換え、流量制御弁３６の開度を全開にし、流量制御弁３２Ｐ〜３２Ｒの開度を、過熱度測定部７３Ｐ〜７３Ｒで計測される冷媒の過熱度に応じて、開度を制御する。また、各三方切換弁２２Ｐ〜２２Ｒの連結口２４ｂを閉鎖し、連結口２４ａ，２４ｃを開放する。また、三方切換弁８１の連結口８４ａを閉鎖し、連結口８４ｂ，８４ｃを開放する。この状態で、圧縮機１０の運転を開始する。
【００２２】
まず、低温低圧の冷媒蒸気が圧縮機１０により圧縮され、高温高圧の冷媒となって吐出される。圧縮機１０における冷媒の圧縮は、周囲との熱の出入はないものとして、図６に示されるｐ−ｈ線図中、等エントロピ線（点［１］−点［２］）で表される。
圧縮機１０から吐出された高温高圧の冷媒は、第１の切換部１６を通り、熱交換器１２で空気などを加熱しながら温度が下がる。熱交換器１２での冷媒の変化は、ほぼ圧力一定のもとで行われるが、熱交換器１２の圧力損失を考慮して、ｐ−ｈ線図中、やや傾いた水平線に近い線（点［２］−点［３］）で表される。冷媒としての二酸化炭素は、フロン系冷媒と異なり、高圧では超臨界状態であるため凝縮することなく、温度が下がりながら空気を加熱する。
【００２３】
熱交換器１２から出た高圧の冷媒は、第２の接続端部２０ｂ、第２のユニット間配管１８ｂ、第１のバイパス配管３４を通り、分岐して各室内ユニット６Ｐ〜６Ｒに流入する。そして、各室内ユニット６Ｐ〜６Ｒに流入した冷媒は、流量制御弁３２Ｐ〜３２Ｒで絞られて膨張（減圧）され、低温低圧の気液二相状態になる。流量制御弁３２Ｐ〜３２Ｒでの冷媒の変化は、エンタルピ一定のもとで行われるものであり、ｐ−ｈ線図中、垂直線（点［３］−点［４］）で表される。
【００２４】
気液二相状態の冷媒は、室内ユニット６の熱交換器２８で空気などを冷却しながら、低温低圧の冷媒蒸気に変化する。熱交換器２８での冷媒の変化は、ほぼ圧力一定のもとで行われるが、熱交換器２８の圧力損失を考慮して、ｐ−ｈ線図中、やや傾いた水平線に近い線（点［４］−点［１］）で表される。各室内ユニット６Ｐ〜６Ｒの熱交換器２８から出た低温低圧の冷媒蒸気は、それぞれ三方切換弁２２Ｐ〜２２Ｒを通過後合流し、第１のユニット間配管１８ａ、第１の接続端部２０ａ、第１の切換部１６を通って圧縮機１０に戻る。
【００２５】
なお、熱交換器２８から出た直後の冷媒蒸気に比べて、圧縮機１０に流入する冷媒蒸気は配管を通るために若干圧力が低下するが、ｐ−ｈ線図上では同じ点［１］で表してある。同様に、熱交換器１２から出た高圧の冷媒に比べて、流量制御弁３２Ｐ〜３２Ｒに流入する冷媒は配管を通るために若干圧力が低下するが、ｐ−ｈ線図上では同じ点［３］で表してある。こうした配管を通ることによる冷媒の圧力の若干の低下および上述した熱交換器１２，２８での圧力損失は、以下の暖房運転モード、冷房主体運転モード、暖房主体運転モードについても同様であり、必要な場合を除いて説明を省略する。
【００２６】
［暖房運転モード］（図３および図７）
全ての室内ユニット６Ｐ〜６Ｒが暖房運転を行う場合、第１の切換部１６を第２のフロー状態（圧縮機１０の冷媒吐出口１０ａを第１の接続端部２０ａに接続し、かつ冷媒吸込口１０ｂを熱交換器１２の一端１２ａに接続する状態）に切り換え、流量制御弁３６を全開または全開に近い状態に設定し、流量制御弁３２Ｐ〜３２Ｒの開度を、温度測定部９０Ｐ〜９０Ｒで計測される冷媒の温度に応じて、開度を制御する。また、各三方切換弁２２Ｐ〜２２Ｒの連結口２４ｂを閉鎖し、連結口２４ａ，２４ｃを開放する。また、三方切換弁８１の連結口８４ａを閉鎖し、連結口８４ｂ，８４ｃを開放する。この状態で、圧縮機１０の運転を開始する。
【００２７】
まず、低温低圧の冷媒蒸気（点［１］）が圧縮機１０により圧縮され、高温高圧の冷媒となって吐出される。圧縮機１０から吐出された高温高圧の冷媒（点［２］）は、第１の切換部１６を通り、第１の接続端部２０ａを通った後、分岐して各三方切換弁２２Ｐ〜２２Ｒを通り、各室内ユニット６Ｐ〜６Ｒの熱交換器２８に流入する。冷媒は、熱交換器２８で空気などを加熱して温度が下がり（点［３］）、続いて、それぞれ流量制御弁３２Ｐ〜３２Ｒで絞られて減圧され、低温低圧の気液二相状態に変化する（点［４］）。その後、各室内ユニット６Ｐ〜６Ｒから出た冷媒は、第１のバイパス配管３４で合流し、流量制御弁３６を通り、第２のユニット間配管１８ｂ、第２の接続端部２０ｂを通過し、熱交換器１２の他端１２ｂに流入する。気液二相状態の冷媒は、熱交換器１２で空気などを冷却して低温低圧の冷媒蒸気に変化する（点［１］）。その後、冷媒は、第１の切換部１６を通り圧縮機１０に戻る。
【００２８】
［冷房主体運転モード］（図４および図８）
室内ユニット６Ｑ、６Ｒが冷房運転、室内ユニット６Ｐが暖房運転を行う場合、第１の切換部１６を第１のフロー状態（圧縮機１０の冷媒吐出口１０ａを熱交換器１２の一端１２ａに接続し、かつ冷媒吸込口１０ｂを第１の接続端部２０ａに接続する状態）に切り換え、流量制御弁３２Ｑ，３２Ｒの開度を、過熱度測定部７３Ｑ，７３Ｒで計測される冷媒の過熱度に応じて、開度を制御し、流量制御弁３２Ｐの開度を温度測定部９０Ｐで計測される冷媒の温度に応じて、開度を制御する。また、三方切換弁２２Ｑ、２２Ｒに関し連結口２４ｂを閉鎖、連結口２４ａ、２４ｃを開放する。三方切換弁２２Ｐに関し連結口２４ａを閉鎖、連結口２４ｂ，２４ｃを開放する。また、三方切換弁８１の連結口８４ｂを閉鎖し、連結口８４ａ，８４ｃを開放する。
【００２９】
また、流量制御弁３６については、第１および第２の圧力測定部７１、７２で計測される冷媒の圧力に応じて、開度を制御する。例えば、第１および第２の圧力測定部７１、７２で計測される流量制御弁３６での圧力差が所定の値以下になるように流量制御弁３６を制御する。この状態で、圧縮機１０の運転を開始する。
【００３０】
まず、低温低圧の冷媒蒸気（点［１］）が圧縮機１０により圧縮され、高温高圧の冷媒となって吐出される。圧縮機１０から吐出された高温高圧の冷媒（点［２］）の一部は接続端部２０ｃ、第３のユニット間配管１８ｃ、三方切換弁８１、三方切換弁２２Ｐをとおり、室内ユニット６Ｐに流入する。そして、冷媒は、熱交換器２８で空気などを加熱しながら温度が下がり（点［３］）、流量制御弁３２Ｐをとおり、第１のバイパス配管３４に流入する。
【００３１】
一方、圧縮機１０から吐出された高温高圧の残りの冷媒（点［２］）は、第１の切換部１６を通り、熱交換器１２で空気などを加熱しながら温度が下がる（点４）。熱交換器１２から出た高圧の冷媒は、第２の接続端部２０ｂ、第２のユニット間配管１８ｂ、第１のバイパス配管３４を通り圧力がわずかに低下して（点５）、室内ユニット６Ｐから流入する冷媒と合流する（点６）。そして、合流した冷媒は、分岐して室内ユニット６Ｑ，６Ｒに流入し、流量制御弁３２Ｑ，３２Ｒで絞られて膨張（減圧）され、低温低圧の気液二相状態になる（点７）。
【００３２】
気液二相状態の冷媒は、室内ユニット６Ｑ，６Ｒの熱交換器２８で空気などを冷却しながら、低温低圧の冷媒蒸気に変化する（点１）。室内ユニット６Ｑ，６Ｒの熱交換器２８から出た低温低圧の冷媒蒸気は、三方切換弁２２Ｑ，２２Ｒを通過後合流し、第１のユニット間配管１８ａ、第１の接続端部２０ａ、第１の切換部１６を通って圧縮機１０に戻る。
【００３３】
［暖房主体運転モード］（図５および図９）
室内ユニット６Ｐ、６Ｑが暖房運転、室内ユニット６Ｒが冷房運転を行う場合、第１の切換部１６を第２のフロー状態（圧縮機１０の冷媒吐出口１０ａを第１の接続端部２０ａに接続し、かつ冷媒吸込口１０ｂを熱交換器１２の一端１２ａに接続する状態）に切り換え、流量制御弁３２Ｒの開度を、過熱度測定部７３Ｒで計測される冷媒の過熱度に応じて、開度を制御し、流量制御弁３２Ｐ，３２Ｑの開度を温度測定部９０Ｐ，９０Ｑで計測される冷媒の温度に応じて開度を制御する。また、三方切換弁２２Ｐ，２２Ｑに関し連結口２４ｂを閉鎖、連結口２４ａ，２４ｃを開放する。三方切換弁２２Ｒに関し連結口２４ａを閉鎖、連結口２４ｂ，２４ｃを開放する。また、三方切換弁８１の連結口８４ａを閉鎖し、連結口８４ｂ，８４ｃを開放する。
【００３４】
また、流量制御弁３６については、第１および第２の圧力測定部７１、７２で計測される冷媒の圧力に応じて、開度を制御する。例えば、第１および第２の圧力測定部７１、７２で計測される流量制御弁３６での圧力差が所定の値以下になるように流量制御弁３６を制御する。この状態で、圧縮機１０の運転を開始する。
【００３５】
まず、低温低圧の冷媒蒸気（点［１］）が圧縮機１０により圧縮され、高温高圧の冷媒となって吐出される。圧縮機１０から吐出された高温高圧の冷媒（点［２］）は、第１の切換部１６を通り、第１の接続端部２０ａ、第１のユニット間配管１８ａを通った後、分岐して三方切換弁２２Ｐ，２２Ｑを通り、各室内ユニット６Ｐ，６Ｑの熱交換器２８に流入する。冷媒は、熱交換器２８で空気などを加熱して温度が下がる（点［３］）。温度低下した冷媒の一部は、第１のバイパス配管３４を通り、室内ユニット６Ｒに流入し、流量制御弁３２Ｒで絞られて減圧されて、低温低圧の気液二相状態の冷媒に変化し（点［４］）、室内ユニット６Ｒの熱交換器２８で空気などを冷却しながら、低温低圧の冷媒蒸気に変化する（点５）。その後、三方切換弁２２Ｒ、三方切換弁８１を通り、第２のユニット間配管１８ｂに流入する。
【００３６】
一方、第１のバイパス配管３４を流れる残りの冷媒は、流量制御弁３６を通りわずかに圧力が低下して（点［６］）、室内ユニット６Ｒから流出した冷媒と合流して（点［７］）、第２のユニット間配管１８ｂ、第２の接続端部２０ｂをとおり、熱交換器１２の他端１２ｂに流入し、熱交換器１２で空気などを冷却して低温低圧の冷媒蒸気に変化する（点［１］）。その後、冷媒は、第１の切換部１６を通り圧縮機１０に戻る。
【００３７】
このように、この空気調和装置２によれば、第３のユニット間配管１８ｃには、冷房主体運転の際の暖房に必要な少量の高温高圧の冷媒だけが流れるため、小径化できる。これにより、メンテナンスや配管設置工事が大掛かりなものにならず、しかも通常の運転に必要な弁やストレーナなどの配管部品を小型化できる。さらに、室外ユニット４と室内ユニット６の間の設置場所が離れているためにユニット間配管が長い場合には、上記の問題がさらに顕著である。
【００３８】
また、温度測定部９０Ｐ〜９０Ｒにより室内ユニット６Ｐ〜６Ｒの冷媒の出口温度を測定し、室内ユニット６Ｐ〜６Ｒの冷媒の出口温度が上昇したときは、流量制御弁３２Ｐ〜３２の開度を絞って室内ユニット６Ｐ〜６Ｒ内の動作圧力を上昇させて、空気と冷媒との温度差を拡大でき、逆に室内ユニット６Ｐ〜６Ｒの冷媒の出口温度が低下したときは、流量制御弁３２Ｐ〜３２の開度を開いて室内ユニット６Ｐ〜６Ｒ内の動作圧力を低下させて、空気と冷媒との温度差を縮小できるので、室内ユニット６Ｐ〜６Ｒの冷暖房能力を維持しつつ、効率の良い運転ができる。
【００３９】
また、過熱度測定部７３Ｐ〜７３Ｒにより室内ユニット６Ｐ〜６Ｒの冷媒の出口の過熱度を測定し、室内ユニット６Ｐ〜６Ｒの冷媒の出口の過熱度が低下したときは、流量制御弁３２Ｐ〜３２Ｒの開度を絞って室内ユニット６Ｐ〜６Ｒの冷媒の出口の過熱度を上昇させる。逆に、室内ユニット６Ｐ〜６Ｒの冷媒の出口の過熱度が上昇したときは、流量制御弁３２Ｐ〜３２Ｒの開度を開いて室内ユニット６Ｐ〜６Ｒの冷媒の出口の過熱度を低下させる。これにより、冷媒の出口の過熱度を一定に保つことができ、室内熱交換器において過熱蒸気が流れるために伝熱性能が悪い領域を最小限に抑えることができ、効率の良い運転ができる。
【００４０】
また、圧力測定部７１，７２で計測される流量制御弁３６の前後での圧力差が所定の値以下になるように流量制御弁３６の開度を制御している。これにより、冷房主体運転において、暖房を行う室内ユニットにおける冷媒音や配管振動の増大を抑制できる。さらに、暖房主体運転において、冷房を行う室内ユニットに送る冷媒量を制御でき、冷媒の圧力損失の増大を抑制することができ、効率の良い運転ができる。
【００４１】
実施の形態２．
図１０はこの発明の実施の形態２に係る空気調和装置を示す冷媒回路図である。図１０において、空気調和装置２Ａは、主成分が二酸化炭素の冷媒を充填し、室外ユニット４Ａ、複数台の室内ユニット６、および室外ユニット４Ａと室内ユニット６を接続する中継部８Ａを備え、室内ユニット６Ｐ〜６Ｒが配置された室の全てを冷房する冷房運転モード、室の全てを暖房する暖房運転モード、および、ある室を冷房すると同時に別の室を暖房する２つのモード（冷房主体運転モードおよび暖房主体運転モード）を有する。
【００４２】
室外ユニット４Ａは、流路切換部５２を備えている。流路切換部５２は、第１の切換部１６と第１の接続端部２０ａとを接続する配管１４ｄの途中、および、熱交換器１２の他端１２ｂと第２の接続端部２０ｂとを接続する配管１４ｅの途中に、それぞれ逆止弁５４、５６を備える。逆止弁５４は、第１の接続端部２０ａから第１の切換部１６へのみ冷媒の流通を許容する。一方、逆止弁５６は、熱交換器１２から第２の接続端部２０ｂへのみ冷媒の流通を許容する。
【００４３】
流路切換部５２はまた、一端が第１の切換部１６と逆止弁５４との間の配管１４ｄの部位に、他端が逆止弁５６と第２の接続端部２０ｂとの間の配管１４ｅの中間点に接続されたバイパス配管５８を備える。このバイパス配管５８の途中には、第１の切換部１６から第２の接続端部２０ｂへのみ冷媒の流通を許容する逆止弁６０が設けられている。流路切換部５２はさらに、一端が第１の接続端部２０ａと逆止弁５４との間の配管１４ｄの中間点に、他端が逆止弁５６と熱交換器１２との間の配管１４ｅの部位に接続されたバイパス配管６２を備える。このバイパス配管６２の途中には、第１の接続端部２０ａから熱交換器１２へのみ冷媒の流通を許容する逆止弁６４が設けられている。
【００４４】
中継部８Ａは、一端が第１のバイパス配管３４に接続され、他端が第１のユニット間配管１８ａに接続される第２のバイパス配管８２、この第２のバイパス配管８２を流れる冷媒の流量を制御する第３の流量制御部としての流量制御弁８３、第２の圧力制御部７２とともに流量制御弁８３の前後の圧力を計測する第３の圧力測定部７４を備えている。その他の構成について実施の形態１と同様につき、説明を省略する。
【００４５】
つぎに、このように構成された空気調和装置２Ａの動作を運転モード毎に図１１〜図１４を参照しつつ説明する。図１１はこの発明の実施の形態２に係る空気調和装置の冷房運転モードにおける冷媒循環状態を示す冷媒回路図、図１２はこの発明の実施の形態２に係る空気調和装置の暖房運転モードにおける冷媒循環状態を示す冷媒回路図、図１３はこの発明の実施の形態２に係る空気調和装置の冷房主体運転モードにおける冷媒循環状態を示す冷媒回路図、図１４はこの発明の実施の形態２に係る空気調和装置の暖房主体運転モードにおける冷媒循環状態を示す冷媒回路図である。
【００４６】
［冷房運転モード］（図１１）
全ての室内ユニット６Ｐ〜６Ｒが冷房運転を行う場合、第１の切換部１６を第１のフロー状態（圧縮機１０の冷媒吐出口１０ａを熱交換器１２の一端１２ａに接続し、かつ冷媒吸込口１０ｂを第１の接続端部２０ａに接続する状態）に切り換え、流量制御弁３６の開度を全開にし、流量制御弁３２Ｐ〜３２Ｒを、過熱度測定部７３Ｐ〜７３Ｒで計測される冷媒の過熱度に応じて、開度を制御する。また、流量制御弁８３を全閉にし、各三方切換弁２２Ｐ〜２２Ｒの連結口２４ｂを閉鎖し、連結口２４ａ，２４ｃを開放する。また、三方切換弁８１の連結口８４ａを閉鎖し、連結口８４ｂ，８４ｃを開放する。この状態で、圧縮機１０の運転を開始する。
【００４７】
まず、低温低圧の冷媒蒸気が圧縮機１０により圧縮され、高温高圧の冷媒となって吐出される。圧縮機１０から吐出された高温高圧の冷媒は、第１の切換部１６を通り、熱交換器１２で空気などを加熱しながら温度が下がる。
【００４８】
熱交換器１２から出た高圧の冷媒は、流路切換部５２に流入し、逆止弁５６、第２の接続端部２０ｂ、第２のユニット間配管１８ｂ、第１のバイパス配管３４を通り、分岐して各室内ユニット６Ｐ〜６Ｒに流入し、流量制御弁３２Ｐ〜３２Ｒで絞られて膨張（減圧）され、低温低圧の気液二相状態になる。
【００４９】
気液二相状態の冷媒は、室内ユニット６の熱交換器２８で空気などを冷却しながら、低温低圧の冷媒蒸気に変化する。各室内ユニット６Ｐ〜６Ｒの熱交換器２８から出た低温低圧の冷媒蒸気は、各三方切換弁２２Ｐ〜２２Ｒを通過後合流し、第１のユニット間配管１８ａ、第１の接続端部２０ａをとおり、流路切換部５２に流入し、逆止弁５４、第１の切換部１６を通って圧縮機１０に戻る。
【００５０】
［暖房運転モード］（図１２）
全ての室内ユニット６Ｐ〜６Ｒが暖房運転を行う場合、第１の切換部１６を第２のフロー状態（圧縮機１０の冷媒吐出口１０ａを第１の接続端部２０ａに接続し、かつ冷媒吸込口１０ｂを熱交換器１２の一端１２ａに接続する状態）に切り換え、流量制御弁３６を全閉に設定し、流量制御弁３２Ｐ〜３２Ｒの開度を、温度測定部９０Ｐ〜９０Ｒで計測される冷媒の温度に応じて、開度を制御する。また、流量制御弁８３を全開し、各三方切換弁２２Ｐ〜２２Ｒの連結口２４ａを閉鎖し、連結口２４ｂ，２４ｃを開放する。また、三方切換弁８１の連結口８４ａを閉鎖し、連結口８４ｂ，８４ｃを開放する。この状態で、圧縮機１０の運転を開始する。
【００５１】
まず、低温低圧の冷媒蒸気が圧縮機１０により圧縮され、高温高圧の冷媒となって吐出される。圧縮機１０から吐出された高温高圧の冷媒は、第１の切換部１６を通り、流路切換部５２に流入し、バイパス配管５８をとおり、逆止弁６０、第２の接続端部２０ｂ、第２のユニット間配管１８ｂ、三方切換弁８１を通った後、分岐して各三方切換弁２２Ｐ〜２２Ｒを通り、各室内ユニット６Ｐ〜６Ｒの熱交換器２８に流入する。冷媒は、熱交換器２８で空気などを加熱して温度が下がり、続いて、各流量制御弁３２Ｐ〜３２Ｒで絞られて減圧され、低温低圧の気液二相状態に変化する。その後、各室内ユニット６Ｐ〜６Ｒから出た冷媒は、第１のバイパス配管３４で合流し、第２のバイパス配管８２に流入する。第２のバイパス配管８２に流入した冷媒は、流量制御弁８３をとおり、第１のユニット間配管１８ａ、第１の接続端部２０ａをとおり、流路切換部５２に流入し、バイパス配管６２、逆止弁６４をとおり、熱交換器１２の他端１２ｂに流入する。気液二相状態の冷媒は、熱交換器１２で空気などを冷却して低温低圧の冷媒蒸気に変化する。その後、冷媒は、第１の切換部１６を通り圧縮機１０に戻る。
【００５２】
［冷房主体運転モード］（図１３）
室内ユニット６Ｑ、６Ｒが冷房運転、室内ユニット６Ｐが暖房運転を行う場合、第１の切換部１６を第１のフロー状態（圧縮機１０の冷媒吐出口１０ａを熱交換器１２の一端１２ａに接続し、かつ冷媒吸込口１０ｂを第１の接続端部２０ａに接続する状態）に切り換え、流量制御弁３２Ｑ，３２Ｒの開度を、過熱度測定部７３Ｑ，７３Ｒで計測される冷媒の過熱度に応じて開度を制御し、流量制御弁３２Ｐの開度を温度測定部９０Ｐで計測される冷媒の温度に応じて、開度を制御する。また、三方切換弁２２Ｑ、２２Ｒに関し連結口２４ｂを閉鎖し、連結口２４ａ、２４ｃを開放する。三方切換弁２２Ｐに関し連結口２４ａを閉鎖し、連結口２４ｂ、２４ｃを開放する。また、三方切換弁８１の連結口８４ｂを閉鎖し、連結口８４ａ，８４ｃを開放する。
【００５３】
また、流量制御弁８３は全閉にし、流量制御弁３６は、第１および第２の圧力測定部７１，７２で計測される冷媒の圧力に応じて、開度を制御する。例えば、第１および第２の圧力測定部７１，７２で計測される流量制御弁３６での圧力差が所定の値以下になるように流量制御弁３６を制御する。この状態で、圧縮機１０の運転を開始する。
【００５４】
まず、低温低圧の冷媒蒸気が圧縮機１０により圧縮され、の高温高圧の冷媒となって吐出される。圧縮機１０から吐出された高温高圧の冷媒の一部は接続端部２０ｃ、第３のユニット間配管１８ｃ、三方切換弁８１、三方切換弁２２Ｐをとおり、室内ユニット６Ｐに流入し、熱交換器２８で空気などを加熱しながら温度が下がり、流量制御弁３２Ｐをとおり、第１のバイパス配管３４に流入する。
【００５５】
一方、圧縮機１０から吐出された高温高圧の残りの冷媒は、第１の切換部１６を通り、熱交換器１２で空気などを加熱しながら温度が下がる。熱交換器１２から出た高圧の冷媒は、流路切換部５２に流入し、逆止弁５６、第２の接続端部２０ｂ、第２のユニット間配管１８ｂ、第１のバイパス配管３４を通り圧力がわずかに低下して、室内ユニット６Ｐから流出した冷媒と合流する。そして、合流した冷媒は、分岐して室内ユニット６Ｑ，６Ｒに流入し、流量制御弁３２Ｑ，３２Ｒで絞られて膨張（減圧）され、低温低圧の気液二相状態になる。
【００５６】
気液二相状態の冷媒は、室内ユニット６Ｑ，６Ｒの熱交換器２８で空気などを冷却しながら、低温低圧の冷媒蒸気に変化する。室内ユニット６Ｑ，６Ｒの熱交換器２８から出た低温低圧の冷媒蒸気は、三方切換弁２２Ｑ，２２Ｒを通過後合流し、第１のユニット間配管１８ａ、第１の接続端部２０ａ、第１の切換部１６を通って圧縮機１０に戻る。
【００５７】
［暖房主体運転モード］（図１４）
室内ユニット６Ｐ、６Ｑが暖房運転、室内ユニット６Ｒが冷房運転を行う場合、第１の切換部１６を第２のフロー状態（圧縮機１０の冷媒吐出口１０ａを第１の接続端部２０ａに接続し、かつ冷媒吸込口１０ｂを熱交換器１２の一端１２ａに接続する状態）に切り換え、流量制御弁３２Ｒの開度を、過熱度測定部７３Ｒで計測される冷媒の過熱度に応じて、開度を制御し、流量制御弁３２Ｐ，３２Ｑの開度を温度測定部９０Ｐ，９０Ｑで計測される冷媒の温度に応じて開度を制御する。また、三方切換弁２２Ｐ，２２Ｑに関し連結口２４ａを閉鎖し、連結口２４ｂ，２４ｃを開放する。三方切換弁２２Ｒに関し連結口２４ｂを閉鎖し、連結口２４ａ，２４ｃを開放する。また、三方切換弁８１の連結口８４ａを閉鎖し、連結口８４ｂ，８４ｃを開放する。
【００５８】
また、流量制御弁３６を全閉し、流量制御弁８３は第２および第３の圧力測定部７２，７４で計測される冷媒の圧力に応じて、開度を制御する。例えば、第２および第３の圧力測定部７２，７４で計測される流量制御弁８３での圧力差が所定の値以下になるように流量制御弁８３を制御する。この状態で、圧縮機１０の運転を開始する。
【００５９】
まず、低温低圧の冷媒蒸気が圧縮機１０により圧縮され、高温高圧の冷媒となって吐出される。圧縮機１０から吐出された高温高圧の冷媒は、第１の切換部１６を通り、流路切換部５２のバイパス配管５８に流入し、逆止弁６０、第１の接続端部２０ｂ、第２のユニット間配管１８ｂを通った後、分岐して三方切換弁２２Ｐ，２２Ｑを通り、各室内ユニット６Ｐ，６Ｑの熱交換器２８に流入する。冷媒は、熱交換器２８で空気などを加熱して温度が下がる。温度低下した冷媒の一部は、第１のバイパス配管３４をとおり、室内ユニット６Ｒに流入し、流量制御弁３２Ｒで絞られて減圧されて、低温低圧の気液二相状態の冷媒に変化し、室内ユニット６Ｒの熱交換器２８で空気などを冷却しながら、低温低圧の冷媒蒸気に変化する。その後、三方切換弁２２Ｒをとおり、第２のユニット間配管１８ａに流入する。
【００６０】
一方、第１のバイパス配管３４を流れる残りの冷媒は、第２のバイパス配管８２に流入し、流量制御弁８３をとおりわずかに圧力が低下して、室内ユニット６Ｒから流出した冷媒と合流する。そして、合流した冷媒は、第１のユニット間配管１８ａ、第１の接続端部２０ａをとおり、流路切換部５２のバイパス配管６２に流入し、逆止弁６４をとおり、熱交換器１２の他端１２ｂに流入し、熱交換器１２で空気などを冷却して低温低圧の冷媒蒸気に変化する。その後、冷媒は、第１の切換部１６を通り圧縮機１０に戻る。
【００６１】
このように、この空気調和装置２Ａによれば、実施の形態１の効果と同等の効果が得られる。
また、この空気調和装置２Ａは、流路切換部５２を備え、圧縮機１０により圧縮された高温高圧の冷媒を第２の接続端部２０ｂから第２のユニット間配管１８ｂに流通するようにしている。そこで、第１のユニット間配管１８ａには、低圧の冷媒しか流れないため、配管の肉厚を薄くできる効果がある。
【００６２】
また、流量切換部５２が、逆止弁５４を第１の切換部１６と第１の接続端部２０ａとを接続する配管１４ｄの経路途中に配設（介在）させ、逆止弁５６を熱交換器１２の他端１２ｂと第２の接続端部２０ｂとを接続する配管１４ｅの経路途中に配設させ、逆止弁６４を熱交換器１２の他端１２ｂと第１の接続端部２０ａとを接続するバイパス配管６２の経路途中に配設させ、逆止弁６０を第１の切換部１６と第２の接続端部２０ｂとを接続するバイパス配管５８の経路途中に配設させて、構成されているので、流路切換部５２を簡易な構成で実現できる。
【００６３】
また、冷房主体運転において、圧力測定部７１，７２で計測される流量制御弁３６の前後での圧力差が所定の値以下になるように流量制御弁３６の開度を制御している。これにより、冷房主体運転で室内ユニットにおける冷媒音や配管振動の増大を抑制できる。
また、暖房主体運転において、圧力測定部７１，７２で計測される流量制御弁８３の前後での圧力差が所定の値以下になるように流量制御弁８３の開度を制御している。これにより、暖房主体運転で冷房を行う室内ユニットに送る冷媒量を制御でき、冷媒の圧力損失の増大を抑制することができ、効率の良い運転ができる。
【００６４】
実施の形態３．
この実施の形態３では、各三方切換弁２２Ｐ〜２２Ｒに代えて、第１および第２の二方切換弁の対を室内ユニット６と同数備えている点を除いて、上記実施の形態１，２と同様に構成されている。
つまり、第１のユニット間配管１８ａが、一端を第１の接続端部２０ａと接続し、他端を分岐して、各対の第１の二方切換弁の一方の連結口に接続されている。また、第２のユニット間配管１８ｂが、一端を第２の接続端部２０ｂと接続し、他端を分岐して、各対の第２の二方切換弁の一方の連結口に接続されている。そして、第１および第２の二方切換弁の他方の連結口が、配管を介して対応する室内ユニット６の第１の配管接続部２６ａに接続されている。
【００６５】
この実施の形態３によれば、第１および第２の二方切換弁を流れる冷媒の流れが常に一定となるので、双方向の流れに対応した弁を使用する必要が無く、第２の切換部を簡易な構造の弁で実現できる。
【００６６】
ここで、上記実施の形態３では、実施の形態１，２における第２の切換部を構成する１台の三方切換弁２２に対して、２台の二方切換弁を用いる場合について説明しているが、実施の形態１，２における第３の切換部を構成する１台の三方切換弁８１を、２台の二方切換弁で構成してもよい。
【００６７】
なお、上記各実施の形態では、冷媒として二酸化炭素単体を用いたが、二酸化炭素を主成分とする冷媒やフロン系冷媒、炭化水素系冷媒を用いてもよい。また、二酸化炭素又は二酸化炭素を主成分とする冷媒を用いれば、地球温暖化を抑制できる。
【００６８】
また、上記各実施の形態では、熱交換器２８の他端２８ｂに温度測定部９０を設けた構成について説明したが、冷媒の圧力が臨界圧力以下の場合には、冷媒の過冷却度を測定できる過冷却度測定部を設けて、冷媒の過冷却度に応じて流量制御弁３２の開度を制御してもよい。
【００６９】
また、上記各実施の形態では、第１の切換部１６の具体的な構成について詳細には説明していないが、第１の切換部１６は室外熱交換器１２に流れる冷媒の方向を切り換えられるものであればよく、例えば四方切換弁を用いることができる。
また、上記各実施の形態において、第１の切換部と第２の切換部は、それぞれ独立して動作しても良い。
【００７０】
また、本発明において、室内ユニットおよび室外ユニットの「ユニット」は、必ずしも全ての構成要素が同一のハウジング内またはハウジング外壁に設けられることを意味するものではない。例えば、室内ユニットの流量制御弁３２を室内熱交換器２８が収容されたハウジングとは別の箇所に配置しても、かかる構成は本発明の範囲内に含まれる。また、室外ユニット中に室外熱交換器や圧縮機からなるセットを複数設け、各セットから流出する冷媒を合流させて一方のユニット間配管に流すとともに、他方のユニット間配管からの冷媒を分岐して各セットに流入させるようにしてもよい。
【図面の簡単な説明】
【００７１】
【図１】この発明の実施の形態１に係る空気調和装置を示す冷媒回路図である。
【図２】この発明の実施の形態１に係る空気調和装置の冷房運転モードにおける冷媒循環状態を示す冷媒回路図である。
【図３】この発明の実施の形態１に係る空気調和装置の暖房運転モードにおける冷媒循環状態を示す冷媒回路図である。
【図４】この発明の実施の形態１に係る空気調和装置の冷房主体運転モードにおける冷媒循環状態を示す冷媒回路図である。
【図５】この発明の実施の形態１に係る空気調和装置の暖房主体運転モードにおける冷媒循環状態を示す冷媒回路図である。
【図６】この発明の実施の形態１に係る空気調和装置の冷房運転モードにおける冷媒循環の変遷を示すｐ−ｈ線図である。
【図７】この発明の実施の形態１に係る空気調和装置の暖房運転モードにおける冷媒循環の変遷を示すｐ−ｈ線図である。
【図８】この発明の実施の形態１に係る空気調和装置の冷房主体運転モードにおける冷媒循環の変遷を示すｐ−ｈ線図である。
【図９】この発明の実施の形態１に係る空気調和装置の暖房主体運転モードにおける冷媒循環の変遷を示すｐ−ｈ線図である。
【図１０】この発明の実施の形態２に係る空気調和装置を示す冷媒回路図である。
【図１１】この発明の実施の形態２に係る空気調和装置の冷房運転モードにおける冷媒循環状態を示す冷媒回路図である。
【図１２】この発明の実施の形態２に係る空気調和装置の暖房運転モードにおける冷媒循環状態を示す冷媒回路図である。
【図１３】この発明の実施の形態２に係る空気調和装置の冷房主体運転モードにおける冷媒循環状態を示す冷媒回路図である。
【図１４】この発明の実施の形態２に係る空気調和装置の暖房主体運転モードにおける冷媒循環状態を示す冷媒回路図である。
【符号の説明】
【００７２】
４，４Ａ  室外ユニット、６Ｐ〜６Ｒ  室内ユニット、８，８Ａ  中継部、１０  圧縮機、１０ａ  冷媒吐出口、１０ｂ  冷媒吸込口、１２  熱交換器（室外熱交換器）、１６  第１の切換部、１８ａ  第１のユニット間配管、１８ｂ  第２のユニット間配管、１８ｃ  第３のユニット間配管、２０ａ  第１の接続端部、２０ｂ  第２の接続端部、２０ｃ  第３の接続端部、２２Ｐ〜２２Ｒ  三方切換弁（第２の切換部）、２６ａ  第１の配管接続部、２６ｂ  第２の配管接続部、２８  熱交換器（室内熱交換器）、３２Ｐ〜３２Ｒ  流量制御弁（第１の流量制御部）、３４  第１のバイパス配管、３６  流量制御弁（第２の流量制御部）、５２  流路切換部、５４,５６,６０,６４  逆止弁、７１  第１の圧力計測部、７２  第２の圧力計測部、７３Ｐ〜７３Ｒ  過熱度測定部、７４  第３の圧力計測部、８１  三方切換弁（第３の切換部）、８２  第２のバイパス配管、８３  流量制御弁（第３の流量制御部）、９０Ｐ〜９０Ｒ  温度測定部。
【図１】
2008170130.tif 000003
【図２】
2008170130.tif 000004
【図３】
2008170130.tif 000005
【図４】
2008170130.tif 000006
【図５】
2008170130.tif 000007
【図６】
2008170130.tif 000008
【図７】
2008170130.tif 000009
【図８】
2008170130.tif 000010
【図９】
2008170130.tif 000011
【図１０】
2008170130.tif 000012
【図１１】
2008170130.tif 000013
【図１２】
2008170130.tif 000014
【図１３】
2008170130.tif 000015
【図１４】
2008170130.tif 000016